(57)【特許請求の範囲】
【請求項１】
ユーザ装置ＵＥのハンドオーバの過程において、ソース側基地局が、ターゲット側基地局が既にfull configuration設定オプションを起動したことを知った後、前記ユーザ装置ＵＥが送信したアップリンクデータを直接、サービスゲートウェイに配達することを含むアップリンクデータの処理方法。
【請求項２】
前記ソース側基地局は、前記ターゲット側基地局が送信した、full configuration識別子を含むハンドオーバ要求応答メッセージ又はfull configuration指示メッセージにより、前記ターゲット側基地局が既にfull configuration設定オプションを起動したことを知る請求項１に記載の方法。
【請求項３】
前記ソース側基地局が、前記ターゲット側基地局が送信した、full configuration識別子を含むハンドオーバ要求応答メッセージにより、前記ターゲット側基地局が既にfull configuration設定オプションを起動したことを知ることは、
Ｘ２ハンドオーバに対して、前記ソース側基地局が、前記ターゲット側基地局からの、full configuration識別子を含むハンドオーバ要求応答メッセージを受信し、前記ハンドオーバ要求応答メッセージを解析することにより、前記full configuration識別子を取得し、これにより前記ターゲット側基地局が既にfull configuration設定オプションを起動したことを知ることと、
Ｓ１ハンドオーバに対して、前記ソース側基地局が、移動管理エンティティＭＭＥからの、前記ターゲット側基地局の送信した、full configuration識別子を含むハンドオーバ要求応答メッセージに基づいて、構築したfull configuration識別子を含むハンドオーバ指令を受信し、前記ハンドオーバ指令を解析することにより、前記full configuration識別子を取得し、これにより前記ターゲット側基地局が既にfull configuration設定オプションを起動したことを知ることと、を含む請求項２に記載の方法。
【請求項４】
前記ソース側基地局が、前記ターゲット側基地局が送信したfull configuration指示メッセージにより、前記ターゲット側基地局が既にfull configuration設定オプションを起動したことを知ることは、
Ｘ２ハンドオーバに対して、前記ソース側基地局が、前記ターゲット側基地局からのfull configuration指示メッセージを受信し、前記指示メッセージを解析することにより、前記ターゲット側基地局が既にfull configuration設定オプションを起動したことを知ることと、
Ｓ１ハンドオーバに対して、前記ターゲット側基地局はfull configuration指示メッセージをＭＭＥに送信し、ＭＭＥは前記full configuration指示メッセージを前記ソース側基地局に送信し、前記ソース側基地局が、前記指示メッセージを解析することにより、前記ターゲット側基地局が既にfull configuration設定オプションを起動したことを知ることと、を含む請求項２に記載の方法。
【請求項５】
前記ユーザ装置ＵＥが送信したアップリンクデータを直接サービスゲートウェイに配達することは、前記ユーザ装置ＵＥからの、番号が連続のアップリンクメッセージと番号が不連続のアップリンクメッセージとを含めて直接前記サービスゲートウェイに配達することを指す請求項１に記載の方法。
【請求項６】
ユーザ装置ＵＥのハンドオーバの過程において、ソース側基地局は、ターゲット側基地局が既にfull configuration設定オプションを起動したことを知った後、前記ユーザ装置ＵＥが送信したアップリンクデータを直接サービスゲートウェイに配達するように設定される配達ユニットを含むアップリンクデータの処理装置。
【請求項７】
前記配達ユニットは、
前記ソース側基地局が、前記ターゲット側基地局の送信した、full configuration識別子を含むハンドオーバ要求応答メッセージ又はfull configuration指示メッセージにより、前記ターゲット側基地局が既にfull configuration設定オプションを起動したことを知るように設定されるラーニングモジュールを含む請求項６に記載の装置。
【請求項８】
前記ラーニングモジュールは、
Ｘ２ハンドオーバに対して、前記ソース側基地局が、前記ターゲット側基地局からの、full configuration識別子を含むハンドオーバ要求応答メッセージを受信し、前記ハンドオーバ要求応答メッセージを解析することにより、前記full configuration識別子を取得し、これにより前記ターゲット側基地局が既にfull configuration設定オプションを起動したことを知るように設定されるＸ２応答解析サブモジュールと、
Ｓ１ハンドオーバに対して、前記ソース側基地局が、移動管理エンティティＭＭＥからの、前記ターゲット側基地局の送信したfull configuration識別子を含むハンドオーバ要求応答メッセージに基づいて構築したfull configuration識別子を含むハンドオーバ指令を受信し、前記ハンドオーバ指令を解析することにより、前記full configuration識別子を取得し、これにより前記ターゲット側基地局が既にfull configuration設定オプションを起動したことを知るように設定されるＳ１指令解析サブモジュールと、を含む請求項７に記載の装置。
【請求項９】
前記ラーニングモジュールは更に、
Ｘ２ハンドオーバに対して、前記ソース側基地局が、前記ターゲット側基地局からのfull configuration指示メッセージを受信し、前記指示メッセージを解析することにより、前記ターゲット側基地局が既にfull configuration設定オプションを起動したことを知るように設定されるＸ２指示解析サブモジュールと、
Ｓ１ハンドオーバに対して、前記ターゲット側基地局がfull configuration指示メッセージをＭＭＥに送信し、ＭＭＥが前記full configuration指示メッセージを前記ソース側基地局に送信し、前記ソース側基地局が、前記指示メッセージを解析することにより、前記ターゲット側基地局が既にfull configuration設定オプションを起動したことを知るように設定されるＳ１指示解析サブモジュールと、を含む請求項７に記載の装置。
【請求項１０】
前記配達ユニットは更に、
前記ユーザ装置ＵＥからの、番号が連続のアップリンクメッセージと番号が不連続のアップリンクメッセージとを含めて直接サービスゲートウェイに配達するように設定されるメッセージ配達モジュールを含む請求項６に記載の装置。
【請求項１１】
プログラム指令を含み、該プログラム指令がソース側基地局装置により実行される場合、該ソース側基地局装置は請求項１〜５のいずれか一項に記載の方法を実行できるコンピュータプログラム。
【請求項１２】
請求項１１に記載のコンピュータプログラムを記憶する媒体。
【発明の詳細な説明】
【技術分野】
【０００１】
本発明は無線通信分野に関し、特にロングタームエボリューション（ＬＴＥ、Long Term Evolution）システム内の局間のハンドオーバの過程においてフルコンフィグレーションfull configurationを起動する場合のアップリンクデータに対する処理方法及び装置に関する。
【背景技術】
【０００２】
図１は、従来技術によるアップリンクデータ処理の伝統的なＸ２ハンドオーバ要求のfull configurationを識別するハンドオーバのフローチャートであり、図１に示すように、ユーザ装置（ＵＥ、User Equipment）が高いバージョン基地局から低いバージョン基地局にハンドオーバ又は再確立をする場合、低いバージョン基地局はＵＥの現在の設定状況を知ることができない。この場合、ターゲット基地局Ｄ-ＥＮＢはfull configurationを送信する（ハンドオーバ要求応答によりfull configuration識別子を含んでソース側基地局Ｓ-ＥＮＢに送信して、ソース側基地局Ｓ-ＥＮＢは、ハンドオーバ命令を送信することによりそのままＵＥに送信する）ことにより、ＵＥにソース側基地局Ｓ-ＥＮＢでの専用リソース設定をクリーンさせ、予測できない異常の出現を防止することができる。
【０００３】
ＵＥはfull configurationの無線リソース制御プロトコル再設定（RRC Connection Reconfiguration、Radio Resource Control Connection Reconfiguration）の設定メッセージを受信した時、測定設定と他の設定Otherconfigを含む全ての専用リソースをクリーンしなければならないが、セル無線ネットワーク一時的識別子（ＣＲＮＴＩ、Cell Radio Network Temporary Identify）/セキュリティパラメータ/無線リンク制御（ＲＬＣ、Radio Link Control）/パケットデータ収束プロトコル（ＰＤＣＰ、Packet Data Convergence Protocol）/ 論理チャネル設定を保留して、後続の可能な再確立フローを確保する必要がある。
【０００４】
確認モードＡＭ（Acknowledged Mode）で、ハンドオーバ過程においてソース側はデータリバース要求を受信した後、アップリンクの不連続のデータはいずれもターゲット側にリバースされる必要がある。端末が高いバージョン基地局から低いバージョン基地局にハンドオーバする場合、ターゲット基地局である低いバージョン基地局は、full configuration設定を起動する必要があることを判断することにより、予測できない異常の出現を防止し、アップリンクデータの処理に対して、ターゲット側基地局は、リバースデータを廃棄してもよく、直接リバースデータをサービスゲートウェイ（ＳＧＷ、Service Gateway）に配達してもよい。しかし、端末が高いバージョン基地局から低いバージョン基地局にハンドオーバする過程において、ターゲット基地局はfull configuration設定を起動した場合、ソース側はアップリンクメッセージをターゲット側にリバースし、ターゲット側は廃棄し又は直接サービスゲートウェイに配達し、そうすると、Ｘ２インタフェースの帯域幅を浪費し、ソース側基地局とターゲット側基地局の必要がない処理フローを増加させ、システムに余計なオーバーヘッドをもたらす。
【発明の概要】
【発明が解決しようとする課題】
【０００５】
本発明の実施例は、アップリンクデータの処理方法及び装置を提供し、端末が高いバージョン基地局から低いバージョン基地局にハンドオーバする過程において、アップリンクデータをターゲット側基地局にリバースすることによるインタフェース帯域幅の利用率が低い問題を解決することができる。
【課題を解決するための手段】
【０００６】
本発明は一つの面において、アップリンクデータの処理方法を提供し、
ユーザ装置ＵＥのハンドオーバの過程において、ソース側基地局が、ターゲット側基地局が既にfull configuration設定オプションを起動したことを知った後、前記ユーザ装置ＵＥが送信したアップリンクデータを直接サービスゲートウェイに配達することを含む。
【０００７】
選択的に、前記ソース側基地局は、ターゲット側基地局が送信した、full configuration識別子を含むハンドオーバ要求応答メッセージ又はfull configuration指示メッセージにより、ターゲット側基地局が既にfull configuration設定オプションを起動したことを知る。
【０００８】
選択的に、前記ソース側基地局が、ターゲット側基地局が送信した、full configuration識別子を含むハンドオーバ要求応答メッセージにより、ターゲット側基地局が既にfull configuration設定オプションを起動したことを知ることは、
Ｘ２ハンドオーバに対して、ソース側基地局が、ターゲット側基地局からの、full configuration識別子を含むハンドオーバ要求応答メッセージを受信し、前記ハンドオーバ要求応答メッセージを解析することにより、前記full configuration識別子を取得し、これによりターゲット側基地局が既にfull configuration設定オプションを起動したことを知ることと、
Ｓ１ハンドオーバに対して、ソース側基地局が、移動管理エンティティＭＭＥからの、ターゲット側基地局の送信したfull configuration識別子を含むハンドオーバ要求応答メッセージに基づいて、構築したfull configuration識別子を含むハンドオーバ指令を受信し、前記ハンドオーバ指令を解析することにより、前記full configuration識別子を取得し、これによりターゲット側基地局が既にfull configuration設定オプションを起動したことを知ることと、を含む。
【０００９】
選択的に、前記ソース側基地局が、ターゲット側基地局が送信したfull configuration指示メッセージにより、ターゲット側基地局が既にfull configuration設定オプションを起動したことを知ることは、
Ｘ２ハンドオーバに対して、ソース側基地局が、ターゲット側基地局からのfull configuration指示メッセージを受信し、前記指示メッセージを解析することにより、ターゲット側基地局が既にfull configuration設定オプションを起動したことを知ることと、
Ｓ１ハンドオーバに対して、ターゲット側基地局はfull configuration指示メッセージをＭＭＥに送信し、ＭＭＥは前記full configuration指示メッセージをソース側基地局に送信し、前記ソース側基地局が、前記指示メッセージを解析することにより、ターゲット側基地局が既にfull configuration設定オプションを起動したことを知ることと、を含む。
【００１０】
選択的に、前記ユーザ端末が送信したアップリンクデータを、直接サービスゲートウェイに配達することは、ユーザ端末からの、番号が連続のアップリンクメッセージと番号が不連続のアップリンクメッセージとを含めて、直接サービスゲートウェイに配達することを指す。
【００１１】
本発明は他の面において、アップリンクデータの処理装置を提供し、
ユーザ装置ＵＥのハンドオーバの過程において、ソース側基地局は、ターゲット側基地局が既にfull configuration設定オプションを起動したことを知った後、前記ユーザ装置ＵＥが送信したアップリンクデータを直接サービスゲートウェイに配達するように設定される配達ユニットを含む。
【００１２】
選択的に、前記配達ユニットは、
前記ソース側基地局が、ターゲット側基地局の送信した、full configuration識別子を含むハンドオーバ要求応答メッセージ又はfull configuration指示メッセージにより、ターゲット側基地局が既にfull configuration設定オプションを起動したことを知るように設定されるラーニングモジュールを含む。
【００１３】
選択的に、前記ラーニングモジュールは更に、
Ｘ２ハンドオーバに対して、ソース側基地局が、ターゲット側基地局からの、full configuration識別子を含むハンドオーバ要求応答メッセージを受信し、前記ハンドオーバ要求応答メッセージを解析することにより、前記full configuration識別子を取得し、これによりターゲット側基地局が既にfull configuration設定オプションを起動したことを知るように設定されるＸ２応答解析サブモジュールと、
Ｓ１ハンドオーバに対して、ソース側基地局が、移動管理エンティティＭＭＥからの、ターゲット側基地局の送信したfull configuration識別子を含むハンドオーバ要求応答メッセージに基づいて、構築したfull configuration識別子を含むハンドオーバ指令を受信し、前記ハンドオーバ指令を解析することにより、前記full configuration識別子を取得し、これによりターゲット側基地局が既にfull configuration設定オプションを起動したことを知るように設定されるＳ１指令解析サブモジュールと、を含む。
【００１４】
選択的に、前記ラーニングモジュールは更に、
Ｘ２ハンドオーバに対して、ソース側基地局が、ターゲット側基地局からのfull configuration指示メッセージを受信し、前記指示メッセージを解析することにより、ターゲット側基地局が既にfull configuration設定オプションを起動したことを知るように設定されるＸ２指示解析サブモジュールと、
Ｓ１ハンドオーバに対して、ターゲット側基地局がfull configuration指示メッセージをＭＭＥに送信し、ＭＭＥが前記full configuration指示メッセージをソース側基地局に送信し、前記ソース側基地局が、前記指示メッセージを解析することにより、ターゲット側基地局が既にfull configuration設定オプションを起動したことを知るように設定されるＳ１指示解析サブモジュールと、を含む。
【００１５】
選択的に、前記配達ユニットは更に、
ユーザ端末からの、番号が連続のアップリンクメッセージと番号が不連続のアップリンクメッセージとを含めて直接サービスゲートウェイに配達するように設定されるメッセージ配達モジュールを含む。
【００１６】
本発明は他の面において、コンピュータプログラム及びその媒体を提供し、前記コンピュータプログラムはプログラム指令を含み、該プログラム指令がソース側基地局装置により実行される場合、該ソース側基地局装置は上記アップリンクデータの処理方法を実行できる。
【発明の効果】
【００１７】
従来技術に比べて、本発明の実施例の有益な効果は、ターゲット側がfull configuration設定オプションを起動したことを知ることにより、ターゲット側にリバースしなく、ソース側において直接アップリンクデータを配達し、Ｘ２又はＳ１インタフェース帯域幅の利用率を向上させ、帯域幅の占用を効果的に低減させることができることである。また、ソース側はアップリンクデータをリバースする必要がなく、リバーストンネルを作成する必要もなく、ソース側とターゲット側がアップリンクデータに対する処理を簡単化し、システムの処理性能を向上させる。
【図面の簡単な説明】
【００１８】
【図１】図１は、従来技術によるアップリンクデータ処理の伝統的なＸ２ハンドオーバ要求のfull configurationを識別するハンドオーバのフローチャートである。
【図２】図２は、本発明の実施例によるアップリンクデータの処理方法の原理図である。
【図３】図３は、本発明の実施例によるアップリンクデータの処理装置の構造図である。
【図４】図４は、本発明の実施例によるアップリンクデータ処理のＸ２ハンドオーバ要求のfull configurationを識別するハンドオーバのフローチャートである。
【図５】図５は、本発明の実施例によるアップリンクデータ処理のメッセージによりソース側にfull configurationを通知するＸ２ハンドオーバのフローチャートである。
【図６】図６は、本発明の実施例によるアップリンクデータ処理のＳ１ハンドオーバ要求のfull configurationを識別するハンドオーバのフローチャートである。
【図７】図７は、本発明の実施例によるアップリンクデータ処理のメッセージによりソース側にfull configurationを通知するＳ１ハンドオーバのフローチャートである。
【発明を実施するための形態】
【００１９】
以下、図面を参照しながら本発明の好ましい実施例を詳しく説明するが、なお、以下に説明する好ましい実施例は、本発明を説明及び解釈するためのものであるに過ぎず、本発明を制限するためのものではない。なお、矛盾が生じない場合に、本願における実施例及び実施例における特徴を互いに任意に組み合わせることができる。
【００２０】
図２は、本発明の実施例によるアップリンクデータの処理方法の原理図であり、図２に示すように、具体的なステップは以下の通りである。 
【００２１】
ステップＳ１：  ユーザ装置ＵＥのハンドオーバの過程において、ソース側基地局は、ターゲット側基地局が既にfull configuration設定オプションを起動したことを知った後、前記ユーザ装置ＵＥが送信したアップリンクデータを直接サービスゲートウェイに配達する。
【００２２】
ステップＳ１において、前記ソース側基地局は、ターゲット側基地局が送信した、full configuration識別子を含むハンドオーバ要求応答メッセージ又はfull configuration指示メッセージにより、ターゲット側基地局が既にfull configuration設定オプションを起動したことを知る。
【００２３】
選択的に、前記ソース側基地局が、ターゲット側基地局が送信した、full configuration識別子を含むハンドオーバ要求応答メッセージにより、ターゲット側基地局が既にfull configuration設定オプションを起動したことを知ることは、
Ｘ２ハンドオーバに対して、ソース側基地局が、ターゲット側基地局からの、full configuration識別子を含むハンドオーバ要求応答メッセージを受信し、前記ハンドオーバ要求応答メッセージを解析することにより、前記full configuration識別子を取得し、これによりターゲット側基地局が既にfull configuration設定オプションを起動したことを知ることと、
Ｓ１ハンドオーバに対して、ソース側基地局が、移動管理エンティティＭＭＥからの、ターゲット側基地局の送信した、full configuration識別子を含むハンドオーバ要求応答メッセージに基づいて、構築したfull configuration識別子を含むハンドオーバ指令を受信し、前記ハンドオーバ指令を解析することにより、前記full configuration識別子を取得し、これによりターゲット側基地局が既にfull configuration設定オプションを起動したことを知ることと、を含む。
【００２４】
選択的に、前記ソース側基地局が、ターゲット側基地局が送信したfull configuration指示メッセージにより、ターゲット側基地局が既にfull configuration設定オプションを起動したことを知ることは、
Ｘ２ハンドオーバに対して、ソース側基地局が、ターゲット側基地局からのfull configuration指示メッセージを受信し、前記指示メッセージを解析することにより、ターゲット側基地局が既にfull configuration設定オプションを起動したことを知ることと、
Ｓ１ハンドオーバに対して、ターゲット側基地局はfull configuration指示メッセージをＭＭＥに送信し、ＭＭＥは前記full configuration指示メッセージをソース側基地局に送信し、前記ソース側基地局が、前記指示メッセージを解析することにより、ターゲット側基地局が既にfull configuration設定オプションを起動したことを知ることと、を含む。
【００２５】
選択的に、前記ユーザ端末が送信したアップリンクデータを直接配達することは、ユーザ端末からの、番号が連続のアップリンクメッセージと番号が不連続のアップリンクメッセージとを含めて直接サービスゲートウェイに配達することを指す。
【００２６】
図３は、本発明の実施例によるアップリンクデータの処理装置の構造図であり、図３に示すように、構造は下記通りである。
【００２７】
前記配達ユニットは、ユーザ装置ＵＥのハンドオーバの過程において、ソース側基地局が、ターゲット側基地局が既にfull configuration設定オプションを起動したことを知った後、前記ユーザ装置ＵＥが送信したアップリンクデータを直接サービスゲートウェイに配達するように設定される。その中、前記配達ユニットのラーニングモジュールは、前記ソース側基地局がターゲット側基地局の送信した、full configuration識別子を含むハンドオーバ要求応答メッセージ又はfull configuration指示メッセージにより、ターゲット側基地局が既にfull configuration設定オプションを起動したことを知るように設定される。前記ラーニングモジュールのＸ２応答解析サブモジュールは、Ｘ２ハンドオーバに対して、ソース側基地局が、ターゲット側基地局からの、full configuration識別子を含むハンドオーバ要求応答メッセージを受信し、前記ハンドオーバ要求応答メッセージを解析することにより、前記full configuration識別子を取得し、これにより、ターゲット側基地局が既にfull configuration設定オプションを起動したことを知るように設定される。前記ラーニングモジュールのＳ１指令解析サブモジュールは、Ｓ１ハンドオーバに対して、ソース側基地局が、移動管理エンティティＭＭＥからの、ターゲット側基地局の送信したfull configuration識別子を含むハンドオーバ要求応答メッセージに基づいて、構築したfull configuration識別子を含むハンドオーバ指令を受信し、前記ハンドオーバ指令を解析することにより、前記full configuration識別子を取得し、これにより、ターゲット側基地局が既にfull configuration設定オプションを起動したことを知るように設定される。前記ラーニングモジュールのＸ２指示解析サブモジュールは、Ｘ２ハンドオーバに対して、ソース側基地局が、ターゲット側基地局からのfull configuration指示メッセージを受信し、前記指示メッセージを解析することにより、ターゲット側基地局が既にfull configuration設定オプションを起動したことを知るように設定される。前記ラーニングモジュールのＳ１指示解析サブモジュールは、Ｓ１ハンドオーバに対して、ターゲット側基地局がfull configuration指示メッセージをＭＭＥに送信し、ＭＭＥが前記full configuration指示メッセージをソース側基地局に送信し、前記ソース側基地局が、前記指示メッセージを解析することにより、ターゲット側基地局が既にfull configuration設定オプションを起動したことを知るように設定される。前記配達ユニットのメッセージ配達モジュールは、ユーザ端末からの、番号が連続のアップリンクメッセージと番号が不連続のアップリンクメッセージとを含めて直接サービスゲートウェイに配達するように設定される。
【００２８】
図４は、本発明の実施例によるアップリンクデータ処理のＸ２ハンドオーバ要求のfull configurationを識別するハンドオーバのフローチャートであり、図４に示すように、Ｘ２インタフェースハンドオーバに対して、ハンドオーバ要求handover request ackにおいてfull configurationを含んでソース側に送信し、及びアップリンクデータを直接配達するフローは下記の通りである。
【００２９】
（1）ソース側基地局Ｓ-ＥＮＢは、ハンドオーバ要求handover requestをターゲット側基地局Ｄ-ＥＮＢに送信して、ハンドオーバを準備するようにターゲット側基地局Ｄ-ＥＮＢに通知する。
（2）ターゲット側基地局Ｄ-ＥＮＢは、ソース側基地局Ｓ-ＥＮＢのバージョンが該基地局のバージョンよりも高いことを発見し、full configuration設定オプションを起動する。
（3）ターゲット側基地局Ｄ-ＥＮＢは、ハンドオーバ要求応答handover request acknowledgeをソース側基地局Ｓ-ＥＮＢに送信して、full configuration識別子を含んでいる。
（4）ソース側基地局Ｓ-ＥＮＢは、ハンドオーバ要求応答handover request acknowledgeを受信した後、解析を行い、ターゲット側基地局Ｄ-ＥＮＢが既にfull configuration設定オプションを起動したことを発見すると、full configuration識別子を含むRRC Connection Reconfiguration設定メッセージをＵＥに送信して、アップリンクデータを直接サービスゲートウェイＳＧＷに配達し、アップリンクデータのリバース及びアップリンクリバーストンネルの作成を行う必要がない。
（5）ＵＥは、受信したRRC Connection Reconfiguration設定メッセージに基づいて設定を完成し、競合アクセスを実現するとともに、該ＵＥは、現在の優先度における最も優先的なＵＥであり、ターゲット側基地局Ｄ-ＥＮＢのリソースを割り当てられてRRC Connection Reconfiguration設定を完成して、基地局の間のハンドオーバを実現することができる。また、ＵＥは、非競合ランダムアクセスを実現することもでき、該ＵＥは、現在のランダムに選択されたＵＥであり、ターゲット側基地局Ｄ-ＥＮＢのリソースを割り当てられてRRC Connection Reconfiguration設定を完成して、基地局の間のハンドオーバを実現することができる。
（6）ＵＥは、ＲＲＣ接続再設定完成情報RRC Connection Reconfiguration Completeをターゲット側基地局Ｄ-ＥＮＢに送信する。
【００３０】
図５は、本発明の実施例によるアップリンクデータ処理のメッセージによりソース側にfull configurationを通知するＸ２ハンドオーバのフローチャートであり、図５に示すように、Ｘ２インタフェースハンドオーバに対して、特定のメッセージにより、full configurationを起動したことをソース側に通知するとともに、アップリンクデータを直接配達するフローは下記の通りである。
【００３１】
（1）ソース側基地局Ｓ-ＥＮＢは、ハンドオーバ要求handover requestをターゲット側基地局Ｄ-ＥＮＢに送信して、ハンドオーバを準備するようにターゲット側基地局Ｄ-ＥＮＢに通知する。
（2）ターゲット側基地局Ｄ-ＥＮＢは、ソース側基地局Ｓ-ＥＮＢのバージョンが該基地局のバージョンよりも高いことを発見し、full configuration設定オプションを起動する。
（3）ターゲット側基地局Ｄ-ＥＮＢは、１つの特別な指示メッセージ（即ち、フルコンフィグレーション指示メッセージfull configuration indication）をソース側基地局Ｓ-ＥＮＢに送信し、ターゲット側基地局Ｄ-ＥＮＢが既にfull configuration設定オプションを起動したことを、ソース側基地局Ｓ-ＥＮＢに通知する。
（4）ターゲット側基地局Ｄ-ＥＮＢは、ハンドオーバ要求応答handover request acknowledgeをソース側基地局に送信して、且つfull configuration識別子を含むRRC Connection Reconfiguration設定メッセージを含み、ソース側がＵＥに転送して基地局ハンドオーバを実現することに用いる。
（5）ソース側基地局Ｓ-ＥＮＢは、受信した、ターゲット側基地局Ｄ-ＥＮＢからの特別な指示メッセージを解析することにより、ターゲット側基地局が既にfull configuration設定オプションを起動したfull configuration識別子を取得した後、full configuration識別子を含むRRC Connection Reconfiguration設定メッセージをＵＥに送信して、アップリンクデータを直接サービスゲートウェイＳＧＷに配達し、アップリンクデータのリバース及びアップリンクリバーストンネルの作成を行う必要がない。
（6）ＵＥは、受信したRRC Connection Reconfiguration設定メッセージに基づいて設定を完成し、競合アクセスを実現し、該ＵＥは、現在の優先度における最も優先的なＵＥであり、ターゲット側基地局Ｄ-ＥＮＢのリソースを割り当てられてRRC Connection Reconfiguration設定を完成して、基地局の間のハンドオーバを実現することができる。また、ＵＥは、非競合ランダムアクセスを実現することもでき、該ＵＥは、現在のランダムに選択されたＵＥであり、ターゲット側基地局Ｄ-ＥＮＢのリソースを割り当てられてRRC Connection Reconfiguration設定を完成して、基地局の間のハンドオーバを実現することができる。
（7）ＵＥは、ＲＲＣ接続再設定完成情報RRC Connection Reconfiguration Completeをターゲット側基地局Ｄ-ＥＮＢに送信する。
【００３２】
図６は、本発明の実施例によるアップリンクデータ処理のＳ１ハンドオーバ要求のfull configurationを識別するハンドオーバのフローチャートであり、図６に示すように、Ｓ１インタフェースハンドオーバに対して、ハンドオーバ要求確認handover request ackにおいてfull configurationを含んでソース側に送信するとともに、アップリンクデータを直接配達するフローは下記の通りである。
【００３３】
（1）ソース側基地局Ｓ-ＥＮＢは、ハンドオーバ要求handover requiredを移動管理エンティティ（ＭＭＥ、Mobility Management Entity）に送信し、ＭＭＥは、ハンドオーバ要求handover requiredに基づいてハンドオーバ要求handover requestをターゲット側基地局Ｄ-ＥＮＢに送信して、ハンドオーバを準備するようにターゲット側基地局Ｄ-ＥＮＢに通知する。その中、Ｓ１ハンドオーバの過程において、ソース側基地局Ｓ-ＥＮＢがＭＭＥに送信したハンドオーバ要求はhandover requiredと示され、ターゲット側基地局Ｄ-ＥＮＢが受信したハンドオーバ要求はhandover requestと示される。
（2）ターゲット側基地局Ｄ-ＥＮＢは、ソース側Ｓ-ＥＮＢのバージョンが該基地局のバージョンよりも高いことを発見し、full configuration設定オプションを起動する。
（3）ターゲット側基地局Ｄ-ＥＮＢは、ハンドオーバ要求応答handover request acknowledgeを送信してfull configuration識別子を含んでＭＭＥに送信し、ＭＭＥは、ハンドオーバ要求応答handover request acknowledgeに基づいてハンドオーバ命令handover commandを構築して、full configuration識別子を含んでソース側基地局Ｓ-ＥＮＢに送信する。
（4）ソース側基地局Ｓ-ＥＮＢは、ハンドオーバ命令handover commandを受信した後、解析を行い、ターゲット側基地局Ｄ-ＥＮＢが既にfull configuration設定オプションを起動したことを発見すると、full configuration識別子を含むRRC Connection Reconfiguration設定メッセージをＵＥに送信して、アップリンクデータを直接サービスゲートウェイＳＧＷに配達し、アップリンクデータのリバース及びアップリンクリバーストンネルの作成を行う必要がない。
（5）ＵＥは、受信したRRC Connection Reconfiguration設定メッセージに基づいて設定を完成し、競合アクセスを実現し、該ＵＥは、現在の優先度における最も優先的なＵＥであり、ターゲット側基地局Ｄ-ＥＮＢのリソースを割り当てられてRRC Connection Reconfiguration設定を完成して、基地局の間のハンドオーバを実現することができる。また、ＵＥは、非競合ランダムアクセスを実現することもでき、該ＵＥは、現在のランダムに選択されたＵＥであり、ターゲット側基地局Ｄ-ＥＮＢのリソースを割り当てられてRRC Connection Reconfiguration設定を完成して、基地局の間のハンドオーバを実現することができる。
（6）ＵＥは、ＲＲＣ接続再設定完成情報RRC Connection Reconfiguration Completeをターゲット側基地局Ｄ-ＥＮＢに送信する。
【００３４】
図７は、本発明の実施例によるアップリンクデータ処理のメッセージによりソース側にfull configurationを通知するＳ１ハンドオーバのフローチャートであり、図７に示すように、Ｓ１インタフェースハンドオーバに対して、特定のメッセージにより、full configurationを起動したことをソース側に通知するとともに、アップリンクデータを直接配達するフローは下記通りである。
【００３５】
（1）ソース側基地局Ｓ-ＥＮＢは、ハンドオーバ要求handover requiredをＭＭＥに送信し、ＭＭＥは、ハンドオーバ要求handover requiredに基づいてハンドオーバ要求hanover requestをターゲット側基地局Ｄ-ＥＮＢに送信して、ハンドオーバを準備するようにターゲット側基地局Ｄ-ＥＮＢに通知する。
（2）ターゲット側基地局Ｄ-ＥＮＢは、ソース側Ｓ-ＥＮＢのバージョンが該基地局のバージョンよりも高いことを発見し、full configuration設定オプションを起動する。
（3）ターゲット側基地局Ｄ-ＥＮＢは、ＭＭＥにより１つの特別な指示メッセージ（即ち、フルコンフィグレーション指示メッセージfull configuration indication）をソース側基地局Ｓ-ＥＮＢに送信し、既にfull configuration設定オプションを起動したことをソース側基地局Ｓ-ＥＮＢに通知する。
（4）ターゲット側基地局Ｄ-ＥＮＢは、ハンドオーバ要求応答handover request acknowledgeを、full configuration識別子を含んでＭＭＥに送信し、ＭＭＥは、ハンドオーバ要求応答handover request acknowledgeに基づいてハンドオーバ命令handover commandを構築して、full configuration識別子を含んでソース側基地局Ｓ-ＥＮＢに送信する。
（5）ソース側基地局Ｓ-ＥＮＢは、受信したターゲット側基地局Ｄ-ＥＮＢからの特別な指示メッセージを解析することにより、ターゲット側基地局が既にfull configuration設定オプションを起動したfull configuration識別子を取得した後、full configuration識別子を含むRRC Connection Reconfiguration設定メッセージをＵＥに送信して、アップリンクデータを直接サービスゲートウェイＳＧＷに配達し、アップリンクデータのリバース及びアップリンクリバーストンネルの作成を行う必要がない。
（6）ＵＥは、受信したRRC Connection Reconfiguration設定メッセージに基づいて設定を完成し、競合アクセスを実現し、該ＵＥは現在の優先度における最も優先的なＵＥであり、ターゲット側基地局Ｄ-ＥＮＢのリソースを割り当てられてRRC Connection Reconfiguration設定を完成して、基地局の間のハンドオーバを実現することができる。また、ＵＥは、非競合ランダムアクセスを実現することもでき、該ＵＥは、現在のランダムに選択されたＵＥであり、ターゲット側基地局Ｄ-ＥＮＢのリソースを割り当てられてRRC Connection Reconfiguration設定を完成して、基地局の間のハンドオーバを実現することができる。
（7）ＵＥは、ＲＲＣ接続再設定完成情報RRC Connection Reconfiguration Completeをターゲット側基地局Ｄ-ＥＮＢに送信する。
【００３６】
上記を纏めると、本発明の実施例は、ターゲット側にリバースしなく、ソース側において直接にアップリンクデータを配達することにより、Ｘ２又はＳ１インタフェース帯域幅の利用率を向上させ、帯域幅の浪費を効果的に低減させることができるという技術効果を有する。また、ソース側はデータをリバースする必要がなく、リバーストンネルを作成する必要もなく、ソース側及びターゲット側のアップリンクデータに対する処理を簡単化する。ソース側はアップリンクリバーストンネルを作成する必要がないことにより、それはアップリンクデータをリバースすることができないため、ターゲット側はアップリンクリバースデータを受信しなくなり、メモリリソースを節約し、ソース側とターゲット側がアップリンクデータリバースに対する処理フローを簡単化するとともに、システムの処理負荷を減軽し、システムのロバスト性を強化する。
【００３７】
当業者が理解できるように、上記実施例の全部又は一部のステップはコンピュータプログラムフローにより実現されることができ、前記コンピュータプログラムはコンピュータ読み取り可能な記憶媒体に記憶されることができ、前記コンピュータプログラムは対応するハードウェアプラットフォーム（例えば、システム、設備、装置、デバイス等）において実行され、実行される時、方法の実施例のステップの１つ又はその組合せを含む。
【００３８】
選択的に、上記実施例の全部又は一部のステップは集積回路により実現されることもでき、これらのステップはそれぞれ各集積回路モジュールに作成されてもよく、又はそれらの中の複数のモジュール又はステップを単一の集積回路モジュールに作成して実現してもよい。このように、本発明はいずれの特定形式のハードウェアとソフトウェアの組み合わせに限定されたものではない。
【００３９】
上記実施例における各装置/機能モジュール/機能ユニットは汎用のコンピュータ装置により実現されることができ、それらは単一のコンピュータ装置に集中させてもよく、複数のコンピュータ装置からなるネットワークに分布させてもよい。
【００４０】
上記実施例における各装置/機能モジュール/機能ユニットはソフトウェア機能モジュールの形式で実現され且つ独立の製品として販売され又は使用される場合、コンピュータ読み取り可能な記憶媒体に記憶されることができる。上記コンピュータ読み取り可能な記憶媒体は読み出し専用メモリ、ディスク又は光ディスク等であってもよい。
【００４１】
いかなる当業者が本発明の開示した技術範囲内において容易に想到し得る変化又は置き換えは、いずれも本発明の保護範囲内に含まれるべきである。従って、本発明の保護範囲は請求項に記載の保護範囲を基準とするべきである。
【産業上の利用可能性】
【００４２】
本発明の実施例によるアップリンクデータの処理方法及び装置によれば、ユーザ端末が高いバージョンの基地局から低いバージョンの基地局にハンドオーバする過程において、ターゲット側基地局がfull configuration設定オプションを起動したことを知ることにより、ターゲット側にリバースしなく、ソース側基地局においてユーザ端末のアップリンクデータを直接にサービスゲートウェイに配達することができ、Ｘ２又はＳ１インタフェース帯域幅の利用率を向上させ、帯域幅の占用を効果的に低減させることができ、ソース側とターゲット側がアップリンクデータに対する処理を簡単化し、システムの処理性能を向上させる。
【図１】
0006335330.tif 000002
【図２】
0006335330.tif 000003
【図３】
0006335330.tif 000004
【図４】
0006335330.tif 000005
【図５】
0006335330.tif 000006
【図６】
0006335330.tif 000007
【図７】
0006335330.tif 000008